(57)【特許請求の範囲】
【請求項１】
所定領域の特性に応じて与えられる属性情報を有する重畳画像を、地図を表示する背景画像に重畳させて表示する処理をコンピュータに実行させるための地図表示制御プログラムであって、
前記背景画像に対する前記重畳画像の占有率を算出し、
前記属性情報の数に基づいて前記重畳画像の情報量を算出し、
前記占有率、前記情報量、及び前記重畳画像において最大の面積を有する前記属性情報の領域の位置と前記背景画像の中心領域の位置との関係に基づいて、前記重畳画像の表示を制御する、
地図表示制御プログラム。
【請求項２】
前記占有率が占有率閾値を超え、かつ、前記情報量が情報量閾値よりも小さく、かつ、前記重畳画像において最大の面積を有する前記属性情報の領域の位置が前記背景画像の中心領域の位置と一致する場合、前記重畳画像の表示を抑制するように制御する、
請求項１に記載の地図表示制御プログラム。
【請求項３】
前記重畳画像の表示を制御した後にユーザが前記重畳画像の表示を操作したときの前記占有率及び前記情報量を記憶した記憶部を参照して、ユーザ毎の占有率閾値及びユーザ毎の情報量閾値を動的に変更する、
請求項１又は２に記載の地図表示制御プログラム。
【請求項４】
重複領域の面積Ｄ、カテゴリカルな属性情報｛１、２、...、Ｋ｝、重複領域の面積Ｄに対する属性情報ｉの面積ｄｉの割合ｒｉを用いた式（１）に基づき、前記重畳画像の情報量を算出する。ただし、Ｋ＝１の場合、Ｅ＝０とする。
【数１】
0006690410.tif 000007
請求項１〜３のいずれか一項に記載の地図表示制御プログラム。
【請求項５】
所定領域の特性に応じて与えられる属性情報を有する重畳画像を、地図を表示する背景画像に重畳させて表示する処理をコンピュータが実行する地図表示制御方法であって、
前記背景画像に対する前記重畳画像の占有率を算出し、
前記属性情報の数に基づいて前記重畳画像の情報量を算出し、
前記占有率、前記情報量、及び前記重畳画像において最大の面積を有する前記属性情報の領域の位置と前記背景画像の中心領域の位置との関係に基づいて、前記重畳画像の表示を制御する、
地図表示制御方法。
【請求項６】
所定領域の特性に応じて与えられる属性情報を有する重畳画像を、地図を表示する背景画像に重畳させて表示する地図表示制御装置であって、
前記背景画像に対する前記重畳画像の占有率を算出し、前記属性情報の数に基づいて前記重畳画像の情報量を算出する算出部と、
前記占有率、前記情報量、及び前記重畳画像において最大の面積を有する前記属性情報の領域の位置と前記背景画像の中心領域の位置との関係に基づいて、前記重畳画像の表示を制御する表示制御部と、
を有する地図表示制御装置。
【発明の詳細な説明】
【技術分野】
【０００１】
本発明は、地図表示制御プログラム、地図表示制御方法及び地図表示制御装置に関する。
【背景技術】
【０００２】
例えば、水量センサは１級河川には設置されているが、それ以外の河川には設置されていない。この場合、水量センサを用いて地図上のすべての河川に対する洪水検知を行うことは難しい。また、水量センサを用いた洪水検知では、水量センサの設置や設置後のセンサのメンテナンスに労力を要し、煩雑である。
【０００３】
そこで、水量センサ等のような物理的なセンサを設置する替わりに、人間がネット上に投稿する情報を利用する試みが行われている。例えば、ＳＮＳ（social networking service）のテキストメッセージからキーワード（例えば「洪水」）を抽出し、テキストメッセージが投稿された場所と紐付けてキーワードに関するデータを収集する。そして、収集したデータから統計処理等により所定領域の特性を示す重畳画像を作成し、地図画像に重畳することで、洪水が発生している箇所を特定することができる。
【０００４】
重畳画像を地図画像に重ねる際の視認性を高めるために、地図画像が表示される縮尺に応じて重畳する文字のサイズを変更したり、重畳画像を透過表示したりする技術が知られている（例えば、特許文献１及び特許文献２参照）。
【先行技術文献】
【特許文献】
【０００５】
【特許文献１】特開２００８−３０４２４６号公報
【特許文献２】特開２０１２−１２８６９１号公報
【発明の概要】
【発明が解決しようとする課題】
【０００６】
しかしながら、上記技術を用いても、ユーザが災害発生の具体的な地図の位置を確認する場合等に、重畳画像が画面いっぱいに表示されていると、背景地図の視認性が低下する場合がある。例えば、背景画像である地図に雨量の情報を有する重畳画像を重ねると、背景画像の視認性が低下する場合がある。
【０００７】
この場合、ユーザが手動で重畳画像を非表示にしたり、透過度を制御したりすることは煩雑である。また、ユーザが重畳画像に着目しているか、背景画像に着目しているかにより、重畳画像をそのまま表示すべき場合と非表示にすべき場合とが生じる。
【０００８】
そこで、一側面では、本発明は、背景画像に重畳画像を重畳して表示する際に視認性の高い画像となるように表示を制御することを目的とする。
【課題を解決するための手段】
【０００９】
一つの案では、所定領域の特性に応じて与えられる属性情報を有する重畳画像を、地図を表示する背景画像に重畳させて表示する処理をコンピュータに実行させるための地図表示制御プログラムであって、前記背景画像に対する前記重畳画像の占有率を算出し、前記属性情報の数に基づいて前記重畳画像の情報量を算出し、前記占有率、前記情報量、及び前記重畳画像において最大の面積を有する前記属性情報の領域の位置と前記背景画像の中心領域の位置との関係に基づいて、前記重畳画像の表示を制御する地図表示制御プログラムが提供される。
【発明の効果】
【００１０】
一側面によれば、背景画像に重畳画像を重畳して表示する際に視認性の高い画像となるように表示を制御することができる。
【図面の簡単な説明】
【００１１】
【図１】地図表示の一例を示す図。
【図２】一実施形態にかかる地図表示制御装置の機能構成の一例を示す図。
【図３】一実施形態にかかる重畳画像情報テーブルの一例を示す図。
【図４】一実施形態にかかる現画面表示領域情報テーブルの一例を示す図。
【図５】一実施形態にかかる制御閾値情報テーブルの一例を示す図。
【図６】一実施形態にかかるユーザ操作記録情報テーブルの一例を示す図。
【図７】一実施形態にかかる地図表示制御方法の流れを説明するための図。
【図８】一実施形態にかかる中心領域の表示状態を説明するための図。
【図９】一実施形態にかかる地図表示制御装置のハードウェア構成の一例を示す図。
【図１０】一実施形態にかかる地図表示制御処理の一例を示すフローチャート。
【図１１】一実施形態にかかる地図表示制御処理を説明するための図。
【図１２】一実施形態の変形例にかかる閾値更新処理の一例を示すフローチャート。
【図１３】一実施形態の変形例にかかる閾値更新処理を説明するための図。
【発明を実施するための形態】
【００１２】
以下、本発明の実施形態について添付の図面を参照しながら説明する。なお、本明細書及び図面において、実質的に同一の機能構成を有する構成要素については、同一の符号を付することにより重複した説明を省く。
【００１３】
［はじめに］
道路や河川、ランドマーク情報などを表示することができる地図表示システムでは、基礎的な地図情報の上に、各地域の雨量等を示す各種ポリゴン等の領域をもった情報を重ねて表示することができる。
【００１４】
例えば、防災分野においては、地図表示システムにおいて、雨量、土砂災害警戒区域、各気象警報の発生領域、ＳＮＳ等のソーシャルメディアから得られた情報の集約値など、多様な情報を地図情報の上に重ねて表示する場合がある。このとき、重ねる情報の多くは、ポリゴンやラスタデータ等の特定の領域を持つ情報である。
【００１５】
例えば、図１（ａ）に示すように、レイヤ１（Ｌ１）には、背景画像Ｐが有する地図情報が保持され、重複レイヤ２（Ｌ２）には、重畳画像Ｒが有する属性情報が保持される。レイヤ１の地図情報に、重複レイヤ２の重畳画像Ｒが有する属性情報を重畳させた重畳領域を、図１（ａ）の右側に示すように拡大すると、縮尺によっては重畳画像Ｒの情報が画面いっぱいに広がってしまう。この場合、重複領域にて重畳画像Ｒの下に表示された地図の視認性が低下してしまう。ユーザが地図を拡大する行為は、重複領域の詳細を確認するために行われると想定されるため、地図の視認性が低下してしまうと、ユーザは当該領域の表示を取りやめる等の操作を行う必要が生じ、煩雑である。
【００１６】
一方、重畳画像Ｒの情報が画面（重複領域）上で占める割合（以下、「占有率」ともいう。）が高い場合であっても、当該領域の境界線を確認する場合においては、ユーザは画面に表示された情報をそのまま見ることを希望する。例えば、図１（ｂ）に示すように、ユーザがポリゴンの境界に着目している場合や、図１（ｃ）に示すように、重複領域内に含まれる個々の統計情報を俯瞰的に見ている場合には、ユーザは、そのまま表示が維持されることを望むと考えられる。例えば、図１（ｃ）の重畳画像Ｒは、関東全域の各地域でにおいて雨に関するテキストメッセージの投稿量に対応しており、見方を変えれば、雨雲の分布とみなすこともできる。このように、ユーザが雨雲の分布を俯瞰的に見たい場合、背景画像Ｐの視認性を高めるために重畳画像Ｒを非表示にすることはユーザにとって誤った動作になる。
【００１７】
つまり、重畳画像Ｒの背景画像Ｐに対する占有率や、重畳画像Ｒの表示の縮尺の大きさだけでは、ユーザが着目する情報の視認性が低下しているか否かを区別して判断することは困難である。そこで、本実施形態に係る地図表示制御装置及び地図表示制御装置が行う地図表示制御方法では、地図の背景画像Ｐ上にポリゴンやラスタデータ等の領域を持つ情報を有する重畳画像Ｒを重ねて表示する際に、ユーザが着目していると判定された画像の視認性を確保する画像制御を提供する。
【００１８】
［地図表示制御装置の機能構成］
まず、本発明の一実施形態に係る地図表示制御装置２０の機能構成について、図２を参照しながら説明する。図１は、本実施形態にかかる地図表示制御装置２０の機能構成の一例を示す。本実施形態に係る地図表示制御装置２０は、記憶部２１、制御部２２、データインタフェース（Ｉ／Ｆ）部１、表示部２及び入力部３を有する。
【００１９】
記憶部２１は、背景画像情報テーブル９、重畳画像情報テーブル１０、現画面表示領域情報テーブル１１、制御閾値情報テーブル１２、中心領域情報テーブル１３、ユーザ操作記録情報テーブル１４及び地図表示制御プログラム１５を記憶する。
【００２０】
背景画像情報テーブル９は、画面の背景に表示する地図情報を有する背景画像Ｐを格納する。背景画像情報テーブル９には、１つ又は複数の背景画像Ｐが格納されている。背景画像Ｐは、地図表示制御装置２０の内部又は外部から取得して背景画像情報テーブル９に格納される。
【００２１】
重畳画像情報テーブル１０は、背景画像Ｐに重ねる重畳画像Ｒが有する属性情報を格納する。属性情報は、地図表示制御装置２０の内部又は外部から取得して重畳画像情報テーブル１０に格納される。図３に一例を示すように、重畳画像情報テーブル１０は、属性コード１０１、属性名１０２及び属性値１０３の各データ項目を記憶する。上記例では、属性値１０３として例えばＳＮＳ等のネットワーク上の発言数を想定し、属性値が１以上の場合において、当該属性(例えば市町村)の領域(ポリゴン)の表示を行う。属性コード１０１、属性名１０２及び属性値１０３は、所定領域の特性に応じて与えられる属性情報の一例である。属性情報を有する重畳画像Ｒは、背景画像Ｐに重畳表示される。
【００２２】
現画面表示領域情報テーブル１１は、現時点において画面に表示されている重畳画像が有する属性情報を保持する。図４に一例を示すように、現画面表示領域情報テーブル１１は、属性コード１１１、表示面積ｄｉ１１２及び面積割合ｒｉ１１３の各データ項目を記憶する。例えば、図４の画面には、属性コード１１１が０００３及び０００４のポリゴンが、背景画像の地図に重畳して表示されている。この場合、現画面表示領域情報テーブル１１には、属性コード１１１が「０００３」の領域の表示面積ｄｉ１１２及び面積割合ｒｉ１１３が記憶され、属性コード１１１が「０００４」の領域の表示面積ｄｉ１１２及び面積割合ｒｉ１１３が記憶される。
【００２３】
制御閾値情報テーブル１２は、画面上の占有率の高低を評価するための占有率閾値、及び、画面上の重畳画像Ｒの情報量の大小を評価するための情報量閾値をユーザ別に記憶する。
【００２４】
図５に一例を示すように、制御閾値情報テーブル１２は、ユーザＩＤ１２１、占有率閾値１２２及び情報量閾値１２３の各データ項目を記憶する。本実施形態では、占有率閾値及び情報量閾値は予め設定され、固定値である。ただし、後述される変形例に示すように、占有率閾値及び情報量閾値をユーザ操作に応じて適正化してもよい。
【００２５】
中心領域情報テーブル１３は、背景画像の中心領域の位置情報を記憶する。
【００２６】
ユーザ操作記録情報テーブル１４は、重畳画像Ｒが重畳表示された画面に対して重畳画像Ｒの表示を抑制するユーザ操作、又は重畳画像Ｒの重畳表示が抑制された画面に対して重畳画像Ｒを表示するユーザ操作を記憶する。図６に一例を示すように、ユーザ操作記録情報テーブル１４は、重畳表示された又は重畳表示が抑制された重畳画像Ｒから算出される占有率Ｓ１４２及び情報量Ｅ１４３を、ユーザＩＤ１４１に対応付けて記憶する。
【００２７】
制御部２２は、データ取得部４、操作情報取得部５、算出部６、判定部７及び表示制御部８を有する。データ取得部４はネットワーク２４により接続されたデータ管理サーバ２３から、背景画像Ｐや重畳画像Ｒのデータ群を、データＩ／Ｆ部１を介して取得する。
【００２８】
操作情報取得部５は、重畳画像Ｒが重畳表示された画面に対するユーザ操作の情報を取得し、ユーザ操作記録情報テーブル１４に記憶する。
【００２９】
算出部６は、背景画像Ｐに対する重畳画像Ｒの占有率を算出する。また、算出部６は、属性情報の数に基づいて重畳画像Ｒの情報量を算出する。
【００３０】
判定部７は、現時点で表示されている画面が、表示抑制制御を行う対象の候補となるか否かを判定する。判定部７は、重畳画像Ｒの表示を制御した後にユーザが重畳画像Ｒの表示を操作（拡大縮小、移動等）したときの占有率Ｓ及び情報量Ｅを記憶したユーザ操作記録情報テーブル１４を参照して、ユーザ毎の占有率閾値及びユーザ毎の情報量閾値を動的に変更する。動的に変更された占有率閾値及び情報量閾値は、制御閾値情報テーブル１２に保存される。
【００３１】
表示制御部８は、占有率、情報量及び重畳画像において最大の面積を有する前記属性情報の領域の位置と前記背景画像の中心領域の位置との関係に基づいて、重畳画像Ｒの表示を制御する。背景画像Ｐに重ねる重畳画像Ｒの表示制御方法の一例としては、表示制御部８は、背景画像Ｐに重ねる重畳画像Ｒを抑制する場合、背景画像Ｐに重ねる重畳画像Ｒを非表示にして、背景画像Ｐのみを表示するように制御することが挙げられる。
【００３２】
また、背景画像Ｐに重ねる重畳画像Ｒの表示方法の他の例としては、表示制御部８は、背景画像Ｐに重ねる重畳画像Ｒの透過度を制御することが挙げられる。背景画像Ｐに重ねる重畳画像Ｒを抑制する場合、表示制御部８は、背景画像Ｐに重ねる重畳画像Ｒの透過度を高めるように制御する。
【００３３】
表示部２は、表示制御部８の制御に従い、背景画像Ｐに重畳画像Ｒを重ねて表示したり、背景画像Ｐに重ねる重畳画像Ｒを非表示にしたり、背景画像Ｐに重ねる重畳画像Ｒの透過度を高めて表示したりする。
【００３４】
入力部３は、画面へのユーザのタッチ操作、その他の入力操作を受け付ける。
【００３５】
なお、図２は機能に着目したブロック図を描いており、これらの機能ブロックで示した各部は、ハードウエアのみ、ソフトウエアのみ、またはハードウエアとソフトウエアとの組合せによって実現することができる。
【００３６】
［算出部、判定部及び表示制御部の具体的機能］
算出部６は、重複領域の占有率及び重複領域内の情報量を算出する。表示制御部８は、重畳画像Ｒの背景画像Ｐに対する占有率、重畳画像Ｒの情報量及び重畳画像Ｒの属性情報毎の表示領域のうち、最も大きな表示領域を持つ部分表示領域の画面中心領域に対する遮蔽度の判定に基づき、重畳画像Ｒの表示又は非表示の制御、あるいは重畳画像Ｒの透過度の制御を行う。表示制御部８は、制御閾値情報テーブル１２に予め設定された占有率閾値１２２及び情報量閾値１２３を、重畳画像Ｒの表示を制御するための閾値に使用する。
【００３７】
算出部６、判定部７及び表示制御部８の具体的機能について、図７を参照しながら説明する。図７の処理１は、主に算出部６及び判定部７が実行し、処理２は、主に表示制御部８が実行する。
【００３８】
処理１では、算出部６は、背景画像Ｐに対する重畳画像Ｒ（重複領域）の占有率及び重複領域内の情報量を算出する。判定部７は、算出した占有率が、制御閾値情報テーブル１２に記憶された該当ユーザの占有率閾値１２２を上回るかを判定する。また、判定部７は、算出した情報量が、制御閾値情報テーブル１２に記憶された該当ユーザの情報量閾値１２３を下回るかを判定する。
【００３９】
判定部７は、占有率が高く、かつ、情報量が小さい場合に、表示抑制制御を行う対象の候補とする。「占有率が高い」とは、算出した占有率が占有率閾値を上回ることをいう。「情報量が小さい」とは、算出した情報量が情報量閾値を下回ることをいう。
【００４０】
その理由について説明すると、視認性の低下を招くのは、重畳画像Ｒの一の属性情報の表示領域が画面の大部分を専有する場合である。
【００４１】
ユーザは、以下の２つの観点で背景画像Ｐに重ね合わせた重畳画像Ｒの情報を見る。一の観点は、地図を縮小して大局的に見る場合である。この場合、ユーザは、重複領域の位置や境界線に着目して情報を見る。このとき、画面背景に表示されている背景画像Ｐに重複して表示される重畳画像Ｒの占有率Ｓが小さいか（図７（１））、又は、背景画像Ｐに重複して表示される重畳画像Ｒに含まれる情報量Ｅが大きくなる（図７（３））。
【００４２】
よって、図７（１）に示すように、占有率Ｓが低く、かつ、情報量Ｅが少ない場合、判定部７は、占有率Ｓが低いため、ユーザは地図を縮小して大局的に見ていると判定し、現時点の表示を維持すると判定する。
【００４３】
また、図７（３）に示すように、占有率Ｓが高く、かつ、情報量Ｅが多い場合、判定部７は、情報量Ｅが多いため、ユーザは地図を縮小して大局的に見ていると判定し、現時点の表示を維持すると判定する。
【００４４】
これに対して、図７（２）及び図７（４）に示すように、占有率Ｓが高く、かつ、情報量Ｅが少ない場合、判定部７は、重畳画像Ｒの一属性情報の表示領域が画面の大部分を専有して視認性の低下を招く可能性があるため、表示抑制制御を行う対象候補の画面であると判定する。
【００４５】
次に、処理２では、表示制御部８は、処理１において判定した表示抑制制御を行う対象候補の画面の重畳画像Ｒから、最も大きな表示領域を持つ属性情報の部分表示領域Ｒｉを切り出す。表示制御部８は、画面の中心領域が、切り出した部分表示領域Ｒｉで満たされる場合に、重畳画像Ｒの非表示又は透過度の制御を行う。
【００４６】
その理由について説明すると、ユーザは、重畳画像Ｒの下部の背景画像Ｐの地図情報を見るために地図を拡大すると、その拡大操作によって地図の表示範囲は狭くなる。このため、ユーザは、図８に示すように詳細を確認したい位置Ｌを、画面中央に移動させながら拡大操作を行う。
【００４７】
したがって、図７に戻り、表示制御部８は、図７（５）に示すように、ユーザが詳細を確認したい情報を示す中心領域Ｃが、切り出した部分表示領域Ｒｉ（ここではｉ＝１（属性情報１））で満たされる場合、ユーザが詳細を確認したい情報の視認性が低下していると判断し、重畳画像Ｒの非表示又は透過度の制御を行う。
【００４８】
他方、図７（６）に示すように、表示制御部８は、ユーザが詳細を確認したい情報を示す中心領域Ｃが他の部分表示領域Ｒｉ（ここではｉ＝３（属性情報３））で満たされ、最も大きな部分表示領域Ｒ１で満たされない場合、ユーザが詳細を確認したい情報の視認性は低下していないと判断する。この場合、表示制御部８は、重畳画像Ｒの非表示又は透過度の制御を行わず、現時点の表示を維持する。
【００４９】
［処理１及び処理２の具体的処理］
次に、処理１及び処理２について更に具体的な演算処理を説明する。
【００５０】
（処理１）
処理１では、算出部６は、背景画像Ｐに対する重畳画像Ｒの占有率Ｓと、重畳画像Ｒの重複領域内の情報量Ｅとを算出する。判定部７は、占有率Ｓが高く、かつ、情報量Ｅが少ない場合に、表示抑制制御を行う対象候補の画面と判定する。なお、処理１の算出処理は、ユーザが表示地図の拡大、縮小、移動操作等を行った一定時間後に実行される。
【００５１】
（ａ）算出部６は、占有率Ｓを算出する。具体的には、算出部６は、表示されている地図全体の面積Ａと、重複領域の面積Ｄを求め、Ｓ＝Ｄ／Ａに代入し、重複領域の占有率Ｓを算出する。図７に示す例では、面積Ａは背景画像Ｐの面積であり、面積Ｄは重畳画像Ｒの面積である。
【００５２】
（ｂ）算出部６は、重複領域内の情報量Ｅを算出する。具体的には、まず、算出部６は、重複領域の重畳画像Ｒの属性情報を抽出する。当該領域内に含まれるカテゴリカルな属性情報を｛１、２、...、Ｋ｝とする。このとき、重複領域の面積Ｄに対する属性情報ｉの面積ｄｉの割合ｒｉ＝ｄＫ／Ｄを求め、以下の式（１）により重複領域内の情報量Ｅを算出する。ただし、Ｋ＝１の場合は、Ｅ＝０とする。
【００５３】
【数１】
0006690410.tif 000002
【００５４】
カテゴリカルな属性情報とは、重畳画像Ｒにおいて区別して表示可能な属性情報を示す。図７（２）ではカテゴリカルな属性情報Ｋは１である。図７（３）ではカテゴリカルな属性情報Ｋは３であり、属性別部分表示領域Ｒ１の面積ｄ１、属性別部分表示領域Ｒ２の面積ｄ２、属性別部分表示領域Ｒ３の面積ｄ3、枠内の面積（重複領域）Ｄとして、式（１）により情報量Ｅが算出される。
【００５５】
カテゴリカルな属性情報としては、様々な属性情報が含まれ、例えば都道府県の雨量を地図に重畳して表示する場合、カテゴリカルな属性情報Ｋは４７になる。
【００５６】
属性情報が連続値である場合には、等量分類等、階級区分を求める公知技術を適用して変換することとする。また、当該重畳画像Ｒが複数の属性情報を保つ場合には、画面表示に寄与する属性情報のみに着目する。なお、重畳画像Ｒのレイヤは、一層に限らず、複数層であってもよい。重畳画像Ｒの複数のレイヤを有する場合にも、画面表示に寄与する属性情報のみに着目する。
【００５７】
情報量Ｅはエントロピーとも呼ばれ、その定義は、情報理論において情報の希少価値を数値に置き換えたものである。具体的には、ありふれた情報（生起確率が低い）が多く含まれる情報は情報量Ｅが小さく、まれな情報（生起確率が高い）が多く含まれる情報は情報量Ｅが大きいと考える理論である。あるデータが複数の属性（事象）を有する場合に、その平均情報量Ｈは、以下の式（２）のように定義される。
【００５８】
【数２】
0006690410.tif 000003
【００５９】
データが生起確率が高いデータを多く含む場合に平均情報量Ｈが大きくなる。ｌｏｇの底は、情報表現の単位により２、１０等と異なるが、定数となる。
（ｃ）判定部７は、算出された占有率Ｓ及び情報量Ｅを用いて、重畳画像Ｒが表示抑制対象候補の画面か否かを判定する。具体的には、占有率Ｓが占有率閾値よりも高く、かつ、情報量Ｅが情報量閾値よりも少ない場合に、表示抑制対象候補の画面として処理２へ進む。そうでない場合、現表示画面の内容が維持される。
【００６０】
（処理２）
処理２では、表示制御部８は、表示抑制制御を行う対象候補の画面の重複領域から、最も大きな表示領域を持つ属性の部分表示領域Ｒｉを切り出す。表示制御部８は、中心領域Ｃが、切り出した部分表示領域Ｒｉで満たされる場合に、重畳画像Ｒの表示抑制の制御を行う。
（ｄ）表示制御部８は、重畳画像Ｒに含まれる属性情報の中から、面積diが最も大きな部分表示領域Ｒｉを選定し、抽出する。
（ｅ）表示制御部８は、抽出した部分表示領域Ｒｉと画面の中心領域Ｃとを重ね合わせる。画面の中心領域Ｃのすべてが部分表示領域Ｒｉで満たされる場合、表示抑制の制御を実施する。表示抑制の制御方法の一例としては、重畳画像Ｒの該当レイヤの属性情報を非表示にする、又は透過度を高くする等が挙げられる。
（ｆ）表示制御部８は、表示抑制の制御を実行中に、ユーザが表示地図の拡大、縮小又は移動の操作を行った場合、表示抑制の制御を解除する。
【００６１】
本実施形態では、重畳画像Ｒの領域内に含まれる属性情報の偏りを算出するために、情報量の考え方を用いている。重畳画像Ｒにおける各属性情報の生起確率を、面積比ｒｉで表す（相対的な生起確率）。また、情報量として、絶対的な量でなく、当該重畳画像Ｒの領域内に限定した相対的な情報量を算出するため、ｌｏｇの底を領域内に含まれる属性のカテゴリ数とする。これらの条件を、式（２）に適用すると、式（１）を得ることができる。式（１）で算出される情報量Ｅは、重複領域内の情報の偏りを示すものとなり、単一の情報が多くの面積を有する場合に小さく（情報量：少ない）、複数の情報が同程度に混在する場合に大きく（情報量：多い）なる。前者の場合には、単一の情報が画面を占有している可能性があると考える。
【００６２】
［ハードウェア構成］
本実施形態に係る地図表示制御装置２０のハードウェア構成について、図９を参照して説明する。地図表示制御装置２０は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、及びＨＤＤ（Hard Disk Drive）１０８などを備え、それぞれがバスＢで相互に接続されている。
【００６３】
入力装置１０１は、タッチ画面、キーボード、マウスなどを含み、地図表示制御装置２０に各操作信号を入力するために用いられる。図２の入力部３の機能は、例えば入力装置１０１により実現される。
【００６４】
表示装置１０２は、ディスプレイなどを含み、各種の処理結果を表示する。図２の表示部２の機能は、例えば表示装置１０２により実現される。
【００６５】
通信Ｉ／Ｆ１０７は、地図表示制御装置２０をネットワーク２４に接続するインターフェースである。これにより、地図表示制御装置２０は、通信Ｉ／Ｆ１０７を介して、データ管理サーバ２３等の他の機器とデータ通信を行うことができる。図２のデータＩ／Ｆ部１の機能は、例えば通信Ｉ／Ｆ１０７により実現される。
【００６６】
ＨＤＤ１０８は、プログラムやデータを格納している不揮発性の記憶装置である。格納されるプログラムやデータには、地図表示制御装置２０の全体を制御する基本ソフトウェア及びアプリケーションソフトウェアがある。例えば、ＨＤＤ１０８には、各種のデータベースや、地図表示制御プログラム１５等のプログラムが格納されてもよい。
【００６７】
外部Ｉ／Ｆ１０３は、外部装置とのインターフェースである。外部装置には、記憶媒体１０３ａなどがある。これにより、地図表示制御装置２０は、外部Ｉ／Ｆ１０３を介して記憶媒体１０３ａの読み取り及び／又は書き込みを行うことができる。記憶媒体１０３ａには、ＣＤ（Compact Disk）、及びＤＶＤ（Digital Versatile Disk）、ならびに、ＳＤメモリカード（SD Memory card）やＵＳＢメモリ（Universal Serial Bus memory）等がある。
【００６８】
ＲＯＭ１０５は、電源を切っても内部データを保持することができる不揮発性の半導体メモリ（記憶装置）である。ＲＯＭ１０５には、ネットワーク設定等のプログラム及びデータが格納されている。ＲＡＭ１０４は、プログラムやデータを一時保持する揮発性の半導体メモリ（記憶装置）である。
【００６９】
ＣＰＵ１０６は、上記記憶装置（例えば「ＨＤＤ１０８」や「ＲＯＭ１０５」など）から、プログラムやデータをＲＡＭ１０４上に読み出し、処理を実行することで、装置全体の制御や搭載機能を実現する演算装置である。図２の制御部２２の機能は、例えばＣＰＵ１０６により実現される。
【００７０】
かかる構成により、本実施形態に係る地図表示制御装置２０では、ＣＰＵ１０６が、ＲＯＭ１０５やＨＤＤ１０８内に格納されたデータ及び地図表示制御プログラム１５を用いて、後述される地図表示制御処理及び閾値更新処理を実行する。
【００７１】
なお、図２の記憶部２１の機能は、例えばＲＡＭ１０４、ＨＤＤ１０８、又はネットワークを介して地図表示制御装置２０に接続されるクラウド上のサーバにより実現され得る。つまり、背景画像情報テーブル９、重畳画像情報テーブル１０、現画面表示領域情報テーブル１１、制御閾値情報テーブル１２、中心領域情報テーブル１３及びユーザ操作記録情報テーブル１４に記憶された情報は、ＲＡＭ１０４、ＨＤＤ１０８、又はネットワークを介して地図表示制御装置２０に接続されるクラウド上のサーバ等に格納され得る。
【００７２】
［地図表示制御処理］
次に、本実施形態に係る地図表示制御処理について図１０を参照して説明する。図１０は、本実施形態に係る地図表示制御処理を示したフローチャートである。本処理が開始されると、データ取得部４は、地図情報を有する背景画像Ｐと、注目するレイヤの属性情報を有する重畳画像Ｒとを取得し、表示制御部８は、背景画像Ｐに重畳画像Ｒを重畳させて表示する（ステップＳ１０）。
【００７３】
次に、操作情報取得部５は、画面へのユーザの拡大等のタッチ操作に応じた操作情報（ユーザ操作記録情報）を取得し、表示制御部８は、操作情報に応じて画面表示を更新する（ステップＳ１２）。次に、算出部６は、ユーザのタッチ操作後、一定時間が経過したかを判定する（ステップＳ１４）。算出部６は、ユーザ操作後、一定時間が経過していないと判定した場合、ステップＳ１０に戻り、ステップＳ１０〜Ｓ１４の処理を繰り返す。一方、算出部６は、ユーザ操作後、一定時間が経過したと判定した場合、ステップＳ１６〜Ｓ２２の処理１（重複領域算出処理）を実行する。
【００７４】
処理１にて、まず、算出部６は、ユーザ別（該当ユーザ）の占有率閾値及び情報量閾値を制御閾値情報テーブル１２から取得する（ステップＳ１６）。次に、算出部６は、この時点で表示されている地図の内容に基づき、現画面表示領域情報テーブル１１（図４参照）の各データを更新する（ステップＳ１８）。
【００７５】
次に、算出部６は、重畳画像Ｒの背景画像Ｐに対する占有率Ｓを算出する（ステップＳ２０）。次に、算出部６は、重畳画像Ｒの領域内の情報量Ｅを算出する（ステップＳ２２）。次に、判定部７は、占有率Ｓが占有率閾値よりも高く、かつ、情報量Ｅが情報量閾値よりも少ないかを判定する（ステップＳ２４）。
【００７６】
判定部７は、占有率Ｓが占有率閾値よりも高く、かつ、情報量Ｅが情報量閾値よりも少ないと判定した場合、ステップＳ２６〜Ｓ３６の処理２（遮蔽度判定処理）を実行する。一方、判定部７は、占有率Ｓが占有率閾値以下、又は、情報量Ｅが情報量閾値以上であると判定した場合、ステップＳ３２に進む。
【００７７】
処理２のステップＳ２６において、表示制御部８は、重畳画像Ｒの領域内で最大の面積を持つ属性情報の部分表示領域Ｒｉを抽出する（ステップＳ２６）。次に、表示制御部８は、部分表示領域Ｒｉが画面の中心領域Ｃをすべて満たすか否かを判定する（ステップＳ２８）。
【００７８】
表示制御部８は、部分表示領域Ｒｉが画面の中心領域Ｃをすべて満たすと判定した場合、重畳画像Ｒの非表示等の表示抑制制御を行い（ステップＳ３０）、ステップＳ３４に進む。一方、表示制御部８は、部分表示領域Ｒｉが画面の中心領域Ｃを満たさないと判定した場合、表示抑制制御を解除し（ステップＳ３２）、ステップＳ３４に進む。
【００７９】
表示制御部８は、ユーザが一定時間経過後、表示の抑制操作又は表示の抑制解除操作を行ったか否かを判定する（ステップＳ３４）。表示制御部８は、ユーザが一定時間経過後、表示の抑制操作又は表示の抑制解除操作を行わなかったと判定した場合、本処理を終了する。一方、表示制御部８は、ユーザが一定時間経過後、表示の抑制操作又は表示の抑制解除操作を行ったと判定した場合、ユーザＩＤに対応して占有率Ｓ及び情報量Ｅをユーザ操作記録情報テーブル１４に記録し（ステップＳ３６）、本処理を終了する。
【００８０】
以上に説明したように、本実施形態に係る地図表示制御装置２０が行う地図表示制御処理によれば、ユーザが重畳画像Ｒ又は背景画像Ｐのいずれに着目しているかを判定し、注目している画像の視認性を確保することができる。具体的には、図１１に示すパターン１、３、５では、表示されている画面の表示をそのまま維持することで、ユーザが着目していると判定された重畳画像Ｒの視認性を確保することができる。一方、パターン２、４では、表示抑制制御（非表示又は透過制御）を実行することで、ユーザが着目していると判定された背景画像Ｐの視認性を確保することができる。
【００８１】
図１１では処理１で用いられる占有率閾値（上限値）を０．９とし、情報量閾値（下限値）を０．４とした場合について各パターンの画面のように背景画像Ｐ及び重畳画像Ｒが表示されている場合の表示制御について説明する。
（パターン１：処理１）
パターン１では、処理１において、占有率Ｓが０．５５であり、情報量Ｅが０．００である。この場合、パターン１の占有率Ｓ「０．５５」は、占有率閾値「０．９」よりも低いため、表示制御の対象候補の画面とならない。その結果、その時点における画面の表示内容は維持される。
（パターン３：処理１）
パターン３では、処理１において、占有率Ｓが０．９２であり、情報量Ｅが０．９３であった。この場合、パターン１の情報量Ｅ「０．９３」は、情報量閾値「０．４」よりも多いため、表示制御の対象候補の画面とならない。その結果、その時点における画面の表示内容が維持される。
（パターン２：処理１）
パターン２では、処理１において、占有率Ｓが０．９２であり、情報量Ｅが０．００であった。この場合、パターン１の占有率Ｓ「０．９２」は、占有率閾値「０．９」よりも高く、かつ、情報量Ｅ「０．００」は、情報量閾値「０．４」よりも少ないため、その時点において表示されている重畳画像Ｐが、表示制御の対象候補の画面となり、処理２に進む。
（パターン４、５：処理１）
パターン４、５では、処理１において、占有率Ｓが０．９２であり、情報量Ｅが０．３５であった。この場合、パターン１の占有率Ｓ「０．９２」は、占有率閾値「０．９」よりも高く、かつ、重複領域内の情報量Ｅ「０．３５」は、情報量閾値「０．４」よりも少ないため、その時点で表示されている重畳画像Ｐが、表示制御の対象候補の画面となり、処理２に進む。
（パターン２：処理２）
パターン２では、処理２において、面積が最大の部分表示領域Ｒｉ（図１１のパターン２の（ａ）の図では、ｉ＝１）が抽出され、画面の中心領域Ｃと重ね合わせ（パターン２の（ｂ））、重複領域ＲｉＣ（ここでは、ｉ＝１）を抜き出す（パターン２の（ｃ））。噴出した重複領域ＲｉＣと中心領域Ｃとの面積を比較した結果、一致するため、表示抑制制御対象の画面と判定され、表示抑制制御が実行される。
（パターン４：処理２）
パターン４では、処理２において、面積が最大の部分表示領域Ｒｉ（図１１のパターン４の（ａ）では、ｉ＝１）が抽出され、画面の中心領域Ｃと重ね合わせ（パターン４の（ｂ））、重複領域ＲｉＣ（ここでは、ｉ＝１）を抜き出す（パターン４の（ｃ））。重ね合わせた重複領域ＲｉＣと中心領域Ｃとの面積を比較した結果、一致するため、表示抑制制御対象の画面であると判定され、表示抑制制御が実行される。
（パターン５：処理２）
パターン５では、処理２において、面積が最大の部分表示領域Ｒｉ（図１１のパターン５の（ａ）では、ｉ＝１）が抽出され、画面の中心領域Ｃと重ね合わせ（パターン５の（ｂ））、重複領域ＲｉＣ（ここでは、ｉ＝１）を抜き出す（パターン５の（ｃ））。重ね合わせた重複領域ＲｉＣと中心領域Ｃとの面積を比較した結果、一致しないため（他の部分表示領域Ｒ３があるため）、表示抑制制御対象の画面でないと判定され、その時点における画面の表示内容が維持される。
【００８２】
［変形例］
次に、上記実施形態の変形例について説明する。上記実施形態において使用した占有率閾値及び情報量閾値はユーザ毎に固定値に設定されていた。これに対して、本変形例では、占有率閾値及び情報量閾値を最適値に更新する。
【００８３】
地図表示制御装置２０に対するユーザの利用目的や、背景画像Ｐに重複表示する重畳画像Ｒの属性情報の性質の違いによって、占有率閾値及び情報量閾値の最適値が異なることが想定される。そのため、処理１の判定時に使用する占有率閾値及び情報量閾値を、ユーザ操作記録情報テーブル１４に記録されたユーザ操作の情報に基づいて、逐次的に更新する。以下に一例を示す。
【００８４】
（ａ）初期値として、占有率閾値（上限値）Ｓ０、情報量閾値（下限値）Ｅ０がユーザ毎に設定されているものとする。
【００８５】
（ｂ）ユーザが画面のタッチ操作（例えば、拡大縮小操作、移動操作等）を行った場合、上記各閾値（Ｓ０、Ｅ０）の条件下において、上記実施形態に示した処理１及び処理２が実行される。このとき、下記条件に基づき、図１０のステップＳ３６に示すように、ユーザＩＤ毎にその時点の画面の重畳画像Ｒの占有率Ｓ及び情報量Ｅがユーザ操作記録情報テーブル１４に記録される。
【００８６】
ユーザ操作記録情報テーブル１４に記録される情報は、「画面の表示維持」と判定された後、一定時間内にユーザが手動で重複領域の表示の抑制操作を実施した場合、又は「画面の表示抑制維持」と判定された後、一定時間内に、ユーザが手動で表示抑制の解除操作を実施した場合に記録される。いずれの場合も、上記実施形態の処理１において算出した占有率Ｓ及び情報量Ｅの組み合わせ（Ｓｉ、Ｅｉ）、ｉ＝１、２、３、...がユーザ毎に対応してユーザ操作記録情報テーブル１４に記録される。
【００８７】
（ｃ）予め定められた時刻になったとき、又は、ユーザ操作記録情報テーブル１４に記録されたデータが一定量以上蓄積したとき、以下の処理を実施して、占有率閾値及び情報量閾値の組み合わせ（Ｓ０、Ｅ０）を更新する。占有率閾値及び情報量閾値の更新後はユーザ操作記録情報テーブル１４に記録されるデータをすべて消去する。
【００８８】
ユーザ操作記録情報テーブル１４に記録されたデータが、ｎ個のデータ群である場合、データ群｛（Ｓ０、Ｅ０）、ｎ｝＝｛（Ｓ０、Ｅ０）、（Ｓ１、Ｅ１）、...、（Ｓｎ、Ｅｎ）｝における、占有率と情報量のそれぞれの平均値を求め、新たな占有率閾値及び情報量閾値（Ｓ０＊、Ｅ０＊）として更新する。すなわち、新たな占有率閾値はＳ０＊＝（Ｓ０＋Ｓ１＋...＋Ｓｎ）／ｎとなり、新たな情報量閾値はＥ０＊＝（Ｅ０＋Ｅ１＋...＋Ｅｎ）／ｎとなる。
【００８９】
上記の閾値更新処理は、横軸が占有率閾値、縦軸が情報量閾値の図１３に示すように、ユーザ操作記録情報テーブル１４に記憶されたｎ個のデータ群｛（Ｓ０、Ｅ０）、ｎ｝、閾値の初期値を散布した図における、点群の重心を求めることに相当する。
【００９０】
［閾値更新処理］
図１２を参照して、以上の閾値更新処理の一例を説明する。本処理が開始されると、判定部７は、ユーザ操作記録情報テーブル１４を参照し、ユーザ毎にユーザ操作記録情報を抽出する（ステップＳ４０）。次に、判定部７は、ユーザ操作記録情報が所定個以上あるか否かを判定する（ステップＳ４２）。
【００９１】
判定部７は、ユーザ操作記録情報が所定個以上あると判定した場合、現占有率閾値とユーザ操作記録情報テーブル１４に記憶した占有率Ｓ群との平均値を算出し、現情報量閾値とユーザ操作記録情報テーブル１４に記憶した情報量Ｅ群との平均値を算出し、算出した各平均値を新たな占有率閾値及び新たな情報量閾値として制御閾値情報テーブル１２を更新し（ステップＳ４４）、本処理を終了する。一方、判定部７は、ユーザ操作記録情報がないと判定した場合、そのまま本処理を終了する。
【００９２】
以上に説明したように、本実施形態に係る地図表示制御装置２０によれば、地図を示す背景画像Ｐの上にポリゴンやラスタデータ等の表示領域を持つ重畳画像Ｒを重ねて表示する場合、地図への表示状態に応じて表示を制御し、視認性を担保することができる。
【００９３】
その場合、重畳画像Ｒの表示領域について、画面に対する占有率Ｓ、情報量Ｅ、および、画面中心領域に対する遮蔽度（つまり、中心領域を重畳画像Ｒの最も面積が大きい属性別の部分表示領域Ｒｉが占有する度合い）を用いて、リアルタイムかつ自動的に重畳画像Ｒの表示の抑制を制御することができる。
【００９４】
例えば、重複領域内に複数の属性情報が含まれる場合や、小さな領域の部分表示領域Ｒｉが画面中心領域に位置する場合、ユーザは、背景の地図ではなく、重畳画像Ｒに着目している可能性が高くなる。このような場合においては、重畳画像Ｒの表示を抑制することは、ユーザの意思に反し、好ましくない。
【００９５】
そこで、本実施形態に係る地図表示制御装置２０によれば、地図を示す背景画像Ｐに様々な情報を重ねて表示する場合において、縮尺に応じて視認性を担保することができる。なお、重畳画像Ｒの背景画像Ｐに対する占有率、重畳画像Ｒ内の領域の情報量、及び最も大きな表示領域を持つ部分表示領域Ｒｉの画面中心領域に対する遮蔽度の判定に基づき、表示の有無、または、透過度の調整が行われる。
【００９６】
［おわりに］
以上、地図表示制御プログラム、地図表示制御方法及び地図表示制御装置を上記実施形態により説明したが、本発明にかかる地図表示制御プログラム、地図表示制御方法及び地図表示制御装置は上記実施形態に限定されるものではなく、本発明の範囲内で種々の変形及び改良が可能である。また、上記実施形態及び変形例が複数存在する場合、矛盾しない範囲で組み合わせることができる。
【００９７】
以上の説明に関し、更に以下の項を開示する。
（付記１）
所定領域の特性に応じて与えられる属性情報を有する重畳画像を、地図を表示する背景画像に重畳させて表示する処理をコンピュータに実行させるための地図表示制御プログラムであって、
前記背景画像に対する前記重畳画像の占有率を算出し、
前記属性情報の数に基づいて前記重畳画像の情報量を算出し、
前記占有率、前記情報量、及び前記重畳画像において最大の面積を有する前記属性情報の領域の位置と前記背景画像の中心領域の位置との関係に基づいて、前記重畳画像の表示を制御する、
地図表示制御プログラム。
（付記２）
前記占有率が占有率閾値を超え、かつ、前記情報量が情報量閾値よりも小さく、かつ、前記重畳画像において最大の面積を有する前記属性情報の領域の位置が前記背景画像の中心領域の位置と一致する場合、前記重畳画像の表示を抑制するように制御する、
付記１に記載の地図表示制御プログラム。
（付記３）
前記重畳画像の表示を制御した後にユーザが前記重畳画像の表示を操作したときの前記占有率及び前記情報量を記憶した記憶部を参照して、ユーザ毎の占有率閾値及びユーザ毎の情報量閾値を動的に変更する、
付記１又は２に記載の地図表示制御プログラム。
（付記４）
重複領域の面積Ｄ、カテゴリカルな属性情報｛１、２、...、Ｋ｝、重複領域の面積Ｄに対する属性情報ｉの面積ｄｉの割合ｒｉを用いた式（１）に基づき、前記重畳画像の情報量を算出する。ただし、Ｋ＝１の場合、Ｅ＝０とする。
【数１】
0006690410.tif 000004
付記１〜３のいずれか一項に記載の地図表示制御プログラム。
（付記５）
所定領域の特性に応じて与えられる属性情報を有する重畳画像を、地図を表示する背景画像に重畳させて表示する処理をコンピュータが実行する地図表示制御方法であって、
前記背景画像に対する前記重畳画像の占有率を算出し、
前記属性情報の数に基づいて前記重畳画像の情報量を算出し、
前記占有率、前記情報量、及び前記重畳画像において最大の面積を有する前記属性情報の領域の位置と前記背景画像の中心領域の位置との関係に基づいて、前記重畳画像の表示を制御する、
地図表示制御方法。
（付記６）
前記占有率が占有率閾値を超え、かつ、前記情報量が情報量閾値よりも小さく、かつ、前記重畳画像において最大の面積を有する前記属性情報の領域の位置が前記背景画像の中心領域の位置と一致する場合、前記重畳画像の表示を抑制するように制御する、
付記５に記載の地図表示制御方法。
（付記７）
前記重畳画像の表示を制御した後にユーザが前記重畳画像の表示を操作したときの前記占有率及び前記情報量を記憶した記憶部を参照して、ユーザ毎の占有率閾値及びユーザ毎の情報量閾値を動的に変更する、
付記５又は６に記載の地図表示制御方法。
（付記８）
重複領域の面積Ｄ、カテゴリカルな属性情報｛１、２、...、Ｋ｝、重複領域の面積Ｄに対する属性情報ｉの面積ｄｉの割合ｒｉを用いた式（１）に基づき、前記重畳画像の情報量を算出する。ただし、Ｋ＝１の場合、Ｅ＝０とする。
【数１】
0006690410.tif 000005
付記５〜７のいずれか一項に記載の地図表示制御方法。
（付記９）
所定領域の特性に応じて与えられる属性情報を有する重畳画像を、地図を表示する背景画像に重畳させて表示する地図表示制御装置であって、
前記背景画像に対する前記重畳画像の占有率を算出し、前記属性情報の数に基づいて前記重畳画像の情報量を算出する算出部と、
前記占有率、前記情報量、及び前記重畳画像において最大の面積を有する前記属性情報の領域の位置と前記背景画像の中心領域の位置との関係に基づいて、前記重畳画像の表示を制御する表示制御部と、
を有する地図表示制御装置。
（付記１０）
前記表示制御部は、前記占有率が占有率閾値を超え、かつ、前記情報量が情報量閾値よりも小さく、かつ、前記重畳画像において最大の面積を有する前記属性情報の領域の位置が前記背景画像の中心領域の位置と一致する場合、前記重畳画像の表示を抑制するように制御する、
付記９に記載の地図表示制御装置。
（付記１１）
前記重畳画像の表示を制御した後にユーザが前記重畳画像の表示を操作したときの前記占有率及び前記情報量を記憶した記憶部を参照して、ユーザ毎の占有率閾値及びユーザ毎の情報量閾値を動的に変更する判定部を有する、
付記９又は１０に記載の地図表示制御装置。
（付記１２）
重複領域の面積Ｄ、カテゴリカルな属性情報｛１、２、...、Ｋ｝、重複領域の面積Ｄに対する属性情報ｉの面積ｄｉの割合ｒｉを用いた式（１）に基づき、前記重畳画像の情報量を算出する。ただし、Ｋ＝１の場合、Ｅ＝０とする。
【数１】
0006690410.tif 000006
付記９〜１１のいずれか一項に記載の地図表示制御装置。
【符号の説明】
【００９８】
１    データＩ／Ｆ部
２    表示部
３    入力部
４    データ取得部
５    操作情報取得部
６    算出部
７    判定部
８    表示制御部
９    背景画像情報テーブル
１０  重畳画像情報テーブル
１１  現画面表示領域情報テーブル
１２  制御閾値情報テーブル
１３  中心領域情報テーブル
１４  ユーザ操作記録情報テーブル
１５  地図表示制御プログラム
２０  地図表示制御装置
２１  記憶部
２２  制御部
２３  データ管理サーバ
２４  ネットワーク
【図１】
0006690410.tif 000008
【図２】
0006690410.tif 000009
【図３】
0006690410.tif 000010
【図４】
0006690410.tif 000011
【図５】
0006690410.tif 000012
【図６】
0006690410.tif 000013
【図７】
0006690410.tif 000014
【図８】
0006690410.tif 000015
【図９】
0006690410.tif 000016
【図１０】
0006690410.tif 000017
【図１１】
0006690410.tif 000018
【図１２】
0006690410.tif 000019
【図１３】
0006690410.tif 000020